(57)【要約】【課題】単眼複視の程度を自覚的に検査する。【解決手段】(a)の円形視標１を単眼複視眼が見たときに、円形視標１の複視像１’、１”が（ｄ）のように接するように見える大きさの円形視標１を探し出して、その円形視標１の視角をもって単眼複視度とする。この場合に、単眼複視眼による複視像が形成される軸がどの方向であっても、視標は円形であるので定量測定が可能となる。そして、視角１分（度／６０）は、５ｍの観察距離から直径１．４５ｍｍの大きさの目標を見たときにほぼ相当する。【選択図】図１
2006288454.tif 000002
【特許請求の範囲】
【請求項１】
単眼により１個の円形視標を見た場合に、前記円形視標が二重の複視像となりこれらの複視像の外縁同士が互いに接するように見える状態における前記円形視標の視角を基に複視度を検査することを特徴とする自覚的単眼複視度検査方法。
【請求項２】
接眼レンズを備えた眼科機器において、前記接眼レンズの前方の被検眼と共役位置に視角の異なる前記円形視標を順次に表示する請求項１に記載の自覚的単眼複視度検査方法。
【請求項３】
単眼により一定の距離から１個の円形視標を見たときに、前記円形視標が二重の複視像となりこれらの複視像の外縁同士が互いに接するように見える前記円形視標を探し出すために、直径の大きさを視角で表した複数の前記円形視標をその大きさ順に表示した視標列から成ることを特徴とする自覚的単眼複視度検査用視標。
【請求項４】
前記複数の円形視標を並べた視標列を上下に平行して配置し、一方の視標列の円形視標は黒地に白色とし、他方の視標列の円形視標は白地に黒色としたことを特徴とする請求項４に記載の自覚的単眼複視度検査用視標。
【請求項５】
前記複数の視標列は、印刷又は電気的表示体により表示した請求項４又は５に記載の自覚的単眼複視度検査用視標。
【発明の詳細な説明】
【技術分野】
【０００１】
本発明は、単眼複視の程度を自覚的に定量測定できる自覚的単眼複視度検査方法及びその検査用視標に関するものである。
【背景技術】
【０００２】
単眼複視とは、単眼で物体を見た場合に物体像が重なって見える現象を云う。このような単眼複視は、かつては稀な現象とされてきたが、最近では一般的な屈折異常にも現れる日常的に決して少なくない現象であり、また日内変動も認められることも知られている。そして、頻度的には老視に伴う乱視に伴うことが多く、高齢者に多いことも分っている。
【発明の開示】
【発明が解決しようとする課題】
【０００３】
単眼複視に関する研究は多くあり、他覚的検査方法は知られているが、適当に利用し易い自覚的検査方法はない。
【０００４】
本発明の目的は、上述の課題を解消し、高齢者でも抵抗なく容易に自己の単眼複視の程度を測定できる自覚的単眼複視度検査方法及びその検査用視標を提供することにある。
【課題を解決するための手段】
【０００５】
上述の目的を達成するための本発明に係る自覚的単眼複視度検査方法の技術的特徴は、単眼により１個の円形視標を見た場合に、前記円形視標が二重の複視像となりこれらの複視像の外縁同士が互いに接するように見える状態における前記円形視標の視角を基に複視度を検査することにある。
【０００６】
また、本発明に係る自覚的単眼複視度検査用視標の技術的特徴は、単眼により一定の距離から１個の円形視標を見たときに、前記円形視標が二重の複視像となりこれらの複視像の外縁同士が互いに接するように見える前記円形視標を探し出すために、直径の大きさを視角で表した複数の前記円形視標をその大きさ順に表示した視標列から成ることにある。
【発明の効果】
【０００７】
本発明に係る自覚的単眼複視度検査方法及びその検査用視標によれば、単眼複視眼が円形視標を見たときの複視像が互いに離れるか、接するか、或いは一部重なり合うかの状態を比較しながら、視標の外縁が接する大きさの円形視標を探し出して、この円形視標の直径の大きさ、つまり視角をもって単眼複視の程度を測定するものであり、誰でも気軽に自己の単眼複視度を自覚的に検査できる。
【発明を実施するための最良の形態】
【０００８】
本発明を図示の実施例に基づいて詳細に説明する。
【実施例１】
【０００９】
図１は原理的な説明図であり、（ａ）は真円から成る円形視標１を示している。単眼複視を持つ被検者がこの円形視標１を見ると、多かれ少なかれ像が二重の円像に見えることになる。上下方向に或る大きさの複視を有する被検者が直径の大きな円形視標１を見ると、（ｂ）に示すように形成される複視像１’、１”同士の一部がその視標の方向、例えば上下方向に重なり、小さな視標では（ｃ）のように離れて見える。そして、適当な大きさの円形視標１では（ｄ）に示すように複視像１’、１”同士の外縁が接して見える。
【００１０】
単眼複視眼が一定の観察距離から１個の点を見たときに、形成される２つの点の中心が互いにＲだけ離れていたとすると、直径Ｒの円形視標１を持ってくれば、この円形視標１による複視像１’、１”は互いに接するように見えることになる。このときの円形視標１の直径がＲよりも小さければ、図１（ｃ）に示すように円形視標１の複視像１’、１”は互いに離れて見え、円形視標１の直径がＲより大きければ、円形視標１の複視像１’、１”は互いに一部重なり合っているように見える。
【００１１】
なお、この円形視標１は円内を塗り潰してもよいが、円内を稍々薄く着色しておくと重なった部分の色が濃く見えるのでより識別が容易となる。
【００１２】
この検査方法においては、被検者から一定距離を隔てた位置に円形視標１を表示したり、眼科機器の筐体内を被検者が凸レンズである接眼レンズを介して覗き込み、内部に視角の異なる円形視標１を順次に、或いは視角の異なる円形視標１を並べて表示して検査することができる。
【００１３】
肉眼により直接に円形視標１を観察する場合には長い観察距離を必要とし、眼科機器による場合には接眼レンズによる被検眼の共役位置に円形視標１を配置すればよいので、小さなスペースで検査を実施できる。
【００１４】
何れの場合においても、被検者が単独で検査してもよく、補助者がいて被検者と応答しながら検査を進めてもよい。
【００１５】
このように、単眼複視眼が或る大きさの円形視標１を見たとき、複視により形成される複視像１’、１”同士が接するように見えれば、その円形視標１の大きさを複視度とすればよく、距離の概念を除去するには視角として表せばよい。
【００１６】
従って、本実施例１では単眼複視眼が見たときに円形視標１の複視像１’、１”がちょうど接するように見える円形視標１を探し出して、その円形視標１の視角をもって単眼複視度とする。この場合に、単眼複視眼による複視像が形成される軸がどの方向であっても、視標は円形なので定量測定が可能となる。そして、後述するように視角１分（度／６０）は、５ｍの観察距離から直径１．４５ｍｍの大きさの目標を見たときにほぼ相当する。
【００１７】
図２は視角と観察距離及び円形視標１の直径の幾何学的関係を図示し、実際の観察距離と、視角１分、２分、３分、１０分にそれぞれ対応する円形視標１の直径を示している。
【００１８】
表１は自覚的単眼複視度検査標を作成する際の各所定観察距離における視角（分）と、円形視標１の直径との関係を示している。５ｍの観察距離で視角１分を作る目標の大きさは厳密には１．４５４であるが、実際の視標等を作るときにはその近似値が用いられる。この表１では、１．４５ｍｍを基準として作成している。
【００１９】
表１
観察距離
３ｍ          ５ｍ          ６ｍ        ２０ｆｔ(６．０９６ｍ)
分
１    ０．８７ｍｍ  １．４５ｍｍ  １．７４ｍｍ    １．７７ｍｍ
２    １．７４      ２．９        ３．４８        ３．５４
３    ２．６１      ４．３５      ５．２２        ５．３
４    ３．４８      ５．８        ６．９６        ７．０７
５    ４．３５      ７．２５      ８．７          ８．８４
６    ５．２２      ８．７      １０．４４      １０．６
７    ６．０９    １０．１５    １２．１８      １２．３７
８    ６．９６    １１．６      １３．９２      １４．１４
９    ７．８３    １３．０５    １５．６６      １５．９１
１０    ８．７      １４．５      １７．４        １７．６８
１１    ９．５７    １５．９５    １９．１４      １９．４５
１２  １０．４４    １７．４      ２０．８８      ２１．２１
１３  １１．３１    １８．８５    ２２．６２      ２２．９８
１４  １２．１８    ２０．３      ２４．３６      ２４．７５
１５  １３．０５    ２１．７５    ２６．１        ２６．５２
１６  １３．９２    ２３．２      ２７．８４      ２８．２８
１７  １４．７９    ２４．６５    ２９．５８      ３０．０５
【実施例２】
【００２０】
図３は例えば紙などに印刷した自覚的単眼複視度検査用視標の正面図であり、図示の都合上、円形視標１同士の間隔は狭めて画いている。前述したように、５ｍの観察距離から見た１．４５ｍｍの大きさがほぼ視角１分に相当することを基準として、直径の大きさを５ｍの距離から見たときの視角で表した複数の黒色の円形視標１が、白地の上に小から大まで横に第１の検査用視標列１１として並べられている。
【００２１】
また、同様の大きさの白色の円形視標１が、黒地の上に小から大まで横に第２の検査用視標列１２として並べられ、これらの視標列１１、１２は上下に平行に配されている。そして、検査用視標列１１、１２の横並びの複数の円形視標１の大きさは、通常にみられる視角２分から１３分までを、少なくとも含むことが好ましい。
【００２２】
なお、円形視標１を小から大まで或いは大から小まで順々に横に並べた理由は、単眼複視眼がそれぞれの円形視標１の複視像の離れ具合を比較しようとするとき、比較する複視像が横に並んだ方が比較し易いからである。特に、老視に伴う倒乱視に伴う単眼複視は、日常生活或いは日常診察においてみられる単眼複視の中では最も頻度の高いものであり、この倒乱視の症状の１つとして出現し得る複視像は上下に分かれて見えるので、この点からも単眼複視度検査に用いる円形視標１は横並びにすると複視像を比較し易い。
【００２３】
測定に際して、単眼複視眼である被検者がこの検査用視標列１１又は１２を見ると、各円形視標１が複視像となって見えるが、これらの複視像の中から外縁が接するように見える円形視標１を探し出し、その複視像を作る円形視標１の直径、即ち視度（分）をもって単眼複視度とする。
【００２４】
このとき、単眼複視眼はもとより乱視等はその屈折異常状態下にあるので、単眼複視眼が見る複視像の一方或いは両方は必ずしも鮮明ではない。従って、円形視標つまり眼に対する刺激は、１つよりも複数ある方が望ましく、第１の検査用視標列１１とその反転像である検査用視標列１２の２種の視標が用意することが好ましい。
【００２５】
このため、第１、第２の検査用視標列１１、１２の何れか使用し易い方を選んで円形視標１を見ることができ、また一方の検査用視標列で得た結果に確信が持てないときには、他方の視標列を見て参考とすればよい。なお、これら検査用視標列１１、１２は上下に配置が入れ代っていても、その性能に変りはない。
【００２６】
このように、被検者は２つの検査用視標列１１、１２のうち、より見易い視標列を選ぶことができ、また一方の組で得た結果に必ずしも納得できない場合には、他の組の視標を見て確認することができる。なお、実施例２では２列の検査用視標列１１、１２について説明したが、１列であっても測定は可能である。
【００２７】
なお、観察距離は５ｍに限らず、例えば３ｍ、６ｍ用であってもよく、表１からその距離に相当する円形視標１を作成すればよい。例えば、６ｍの観察距離から見た１．７４ｍｍの大きさがほぼ視角１分に相当することを基準として、直径の大きさを６ｍの観察距離から見たときの視角で表せばよい。
【００２８】
なお検査に際して、被検者が強度の屈折異常或いは白内障等のため、所定の観察距離では視標が見え難いときは、見えるまで自覚的複視度検査標に接近しても、或いは離れてもよい。
【００２９】
図４は変形例の検査用視標列を示し、検査用視標列１１、１２の他に、第３の検査用視標列１３が配列されている。この第３の検査用視標列１３は例えば赤地に同じ直径の黒の円形視標１ｂと白の円形視標１ｗを横に並べて１組とした大小数組の円形視標１から成っている。
【００３０】
この第３の検査用視標列１３は複視像のそれぞれが異なる焦点距離や収差を有することを検出するためのものである。赤地に黒の円形視標による単眼複視度と、赤地に白の円形視標による単眼複視度を比べた場合に、複視像のうちの何れかが、例えば赤地に黒の円形視標による単眼複視度の方が、赤地に白の円形視標による単眼複視度のそれよりも比較的に大ならば、その方の複視像（即ち焦点）は収差が大ということを示し、本来あるべき屈折状態よりもより異常状態にあることを示唆している。
【００３１】
このように第３の検査用視標列１３を加えて、複視像の２つの焦点のそれぞれの収差の差を知れば、複視像のうち何れが本来の焦点或いは本来の焦点に類似の焦点なのかを推測することが可能である。
【図面の簡単な説明】
【００３２】
【図１】本発明の原理的な説明図である。
【図２】観察距離と円形視標の幾何学的関係の説明図である。
【図３】単眼複視度検査用視標の正面図である。
【図４】変形例の単眼複視度検査用視標の正面図である。
【符号の説明】
【００３３】
１  円形視標
１’、１”  複視像
１１、１２、１３  検査用視標列
【図１】
2006288454.tif 000003
【図２】
2006288454.tif 000004
【図３】
2006288454.tif 000005
【図４】
2006288454.tif 000006